(57)【要約】【課題】  対物レンズの傾角調整を安価な構造で精密に行うこと。【解決手段】  一対の有底筒状カプセル半体２１Ａ，２１Ｂからなるカプセル２１を有し、調整ばね１７を各カプセル半体２１Ａ，２１Ｂに挿入することにより、調整ばね１７入りカプセル２１が形成され、該カプセル２１の高さが調整ばね１７に抗して伸縮可能とされており、該カプセル２１を調整ばね１７に抗してオプチベース１の押さえ部２０Ａとアクトベース２の受座部２Ａとの間に挿入し、その調整ばね１７と両傾角調整ボルト１３とによる傾角調整を行い、アクトベース２をオプチベース１に接着剤ＵＶで固定した後、前記カプセル２１を調整ばね１７に抗して引っ張ることにより押さえ部２０Ａと受座部２Ａとの間から離脱させるようにした。【選択図】        図２
2007179615.tif 000002
【特許請求の範囲】
【請求項１】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースの挿通孔を通ってオプチベースのねじ孔に支持ボルトが螺着され、該支持ボルト
に遊嵌されてアクトベースをオプチベースに向けて付勢する調整ばねが設けられており、
その調整ばねに抗して各傾角調整ボルトのねじ込み量を調整してアクトベースの位置を微
調整することにより、対物レンズの光軸を半導体レーザから発したレーザ光の光軸と一致
させ、アクトベースをオプチベースに接着剤で固定するようにした光ピックアップにおい
て、前記支持ボルトを省略し、一対の有底筒状カプセル半体からなるカプセルを有し、前
記調整ばねの両端部を前記各カプセル半体の開口端から該各カプセル半体内に挿入するこ
とにより、調整ばね入りカプセルが形成され、前記一方のカプセル半体に伸縮方向に沿っ
て長孔が形成されると共に、該長孔に対向して前記他方のカプセル半体にフックが一体形
成され、該フックを長孔に嵌入させることにより、両カプセル半体が一体的に連結される
と共に、該カプセルの高さが調整ばねに抗して一定範囲内伸縮可能とされ、その調整ばね
入りカプセルの一端に対向する押さえ部が脚部を介して前記オプチベースに一体形成され
ると共に、該カプセルの他端に対向する受座部がアクトベースに一体形成され、前記カプ
セルの伸長時の高さが前記押さえ部と受座部との間の対向間隔よりも大きくてその縮小時
の高さが前記対向間隔よりも小さくなるように設定され、前記押さえ部と受座部との対向
面にカプセル係止用凹部が形成されており、カプセルを調整ばねに抗して押さえ部と受座
部との間に挿入して、該カプセルの両端面を前記各カプセル係止用凹部に嵌入させ、その
カプセルを調整ばねに抗して引っ張ることにより押さえ部と受座部との間から離脱させる
ようにしたことを特徴とする光ピックアップ。
【請求項２】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースをオプチベースに向けて付勢する調整ばねが設けられており、その調整ばねに抗
して各傾角調整ボルトのねじ込み量を調整してアクトベースの位置を微調整することによ
り、対物レンズの光軸を半導体レーザから発したレーザ光の光軸と一致させ、アクトベー
スをオプチベースに接着剤で固定するようにした光ピックアップにおいて、一対の有底筒
状カプセル半体からなるカプセルを有し、前記調整ばねの両端部を前記各カプセル半体の
開口端から該各カプセル半体内に挿入することにより、調整ばね入りカプセルが形成され
、該カプセルの高さが調整ばねに抗して伸縮可能とされ、その調整ばね入りカプセルの一
端に対向する押さえ部が脚部を介して前記オプチベースに一体形成されると共に、該カプ
セルの他端に対向する受座部がアクトベースに一体形成され、前記カプセルの伸長時の高
さが前記押さえ部と受座部との間の対向間隔よりも大きくてその縮小時の高さが前記対向
間隔よりも小さくなるように設定されており、カプセルを調整ばねに抗して押さえ部と受
座部との間に挿入し、そのカプセルを調整ばねに抗して引っ張ることにより押さえ部と受
座部との間から離脱させるようにしたことを特徴とする光ピックアップ。
【請求項３】
前記押さえ部と受座部との対向面にカプセル係止用凹部が形成されており、その押さえ
部と受座部との間に挿入たカプセルの両端面を前記各カプセル係止用凹部に嵌入させるよ
うにしたことを特徴とする請求項２に記載の光ピックアップ。
【請求項４】
前記一方のカプセル半体に伸縮方向に沿って長孔が形成されると共に、該長孔に対向し
て前記他方のカプセル半体にフックが一体形成され、該フックを長孔に嵌入させることに
より、両カプセル半体が一体的に連結されると共に、該カプセルの高さが調整ばねに抗し
て一定範囲内伸縮可能とされていることを特徴とする請求項２または３に記載の光ピック
アップ。
【発明の詳細な説明】
【技術分野】
【０００１】
本発明は、対物レンズの傾角調整を安価な構造で精密に行うことができるようにした光
ピックアップに関する。
【背景技術】
【０００２】
従来、光ピックアップに関する技術として特許文献１などの記載したものがあり、その
一例を図８〜図１０に基づいて説明すると、これは、一側縁に形成したラック１ａに噛合
するピニオン（図示せず）を正逆回転させることによりディスクＤの半径方向に沿って往
復移動可能な合成樹脂製オプチベース１を有し、該オプチベース１の天板部１Ａに一体形
成した受支台１ｂに金属板製アクトベース２の下面に一体突設した突起部２ａを揺動可能
に係合させることにより、そのアクトベース２がオプチベース１の天板部１Ａ上に所定間
隔αをおいて配置されている。
【０００３】
前記アクトベース２のほぼ中央に立設したシャフト３に摺動及び揺動可能に嵌合するレ
ンズホルダ４に対物レンズＯＬが配置され、該レンズホルダ４のボス４ａにフォーカスコ
イル５と磁性片６とが外嵌されると共に、そのレンズホルダ４の外側面にトラッキングコ
イル７が固着され、レンズホルダ４を間に挟んで一対のマグネット８がアクトベース２か
ら起立する左右一対の側板部２ｂ，２ｃにそれぞれ固着されており、両マグネット８と磁
性片６との間で作用する磁気ばねによりレンズホルダ４を浮かせた状態で、プリント配線
９を介してフォーカスコイル５に通電することにより、レンズホルダ４をシャフト３に沿
ってフォーカス方向ａ，ｂに摺動させると共に、トラッキングコイル７に通電することに
より、レンズホルダ４をシャフト３回りでトラッキング方向ｃ，ｄに揺動させ、ディスク
Ｄの所定のトラックを追従する。
【０００４】
前記アクトベース２に所定間隔をおいて略Ｌ字状連結枠２ｄ，２ｅが一体形成されると
共に、該各連結枠２ｄ，２ｅの先端部に形成したねじ孔１１に対向してオプチベース１の
天板部１Ａに貫通孔１２が同心状に形成されており、２本の傾角調整ボルト１３を各貫通
孔１２を通って各連結枠２ｄ，２ｅのねじ孔１１に螺合させると共に、該各傾角調整ボル
ト１３の頭部１３ａを天板部１Ａの下面に当接させ、その両傾角調整ボルト１３から所定
間隔離れた位置でアクトベース２に一体突設した受座部２Ａに挿通孔１４が貫設されると
共に、該挿通孔１４に対向して天板部１Ａにねじ孔１５が同心状に形成されており、１本
の支持ボルト１６を挿通孔１４を通ってねじ孔１５に螺合させ、該支持ボルト１６の頭部
１６ａと受座部２Ａとの間でその支持ボルト１６に遊嵌することによりアクトベース２を
オプチベース１に向けて付勢する調整ばね１７が設けられており、その調整ばね１７に抗
して各傾角調整ボルト１３のねじ込み量を調整してアクトベース２の位置を微調整するこ
とにより、対物レンズＯＬの光軸Ｏ１をラジアル方向ｅ，ｆ及びタンゼンシャル方向ｇ，
ｈに傾動させて、その対物レンズＯＬの光軸Ｏ１を半導体レーザ（図示せず）から発した
レーザ光の光軸Ｏ２と一致させ、該アクトベース２と天板部１Ａとの間の複数箇所に紫外
線硬化性接着剤ＵＶを充填し、該接着剤ＵＶに紫外線を照射して硬化させることにより、
そのアクトベース２をオプチベース１に固定する。なお、図９中、ＱＷＰはコリメートレ
ンズである。
【特許文献１】特開２００３−３１７２６５号公報
【発明の開示】
【発明が解決しようとする課題】
【０００５】
上記従来の構成では、対物レンズＯＬの傾角調整を行うために、２本の傾角調整ボルト
１３の他に、支持ボルト１６及び調整ばね１７を用いているが、接着剤ＵＶでアクトベー
ス２をオプチベース１に固定した後は、その支持ボルト１６及び調整ばね１７が不要とな
り、それらを用いている分だけコストアップになっている。
【０００６】
そこで、接着剤ＵＶによるアクトベース２の固定終了後、ドライバなどの工具で支持ボ
ルト１６のねじ込みを解除して調整ばね１７を離脱させることが考えられるが、そのねじ
込み解除の作業中にドライバなどの工具や支持ボルト１６がアクトベース２に接触するな
どしてせっかく微調整したアクトベース２の位置がずれるおそれがあり、その位置ずれが
生じると、対物レンズＯＬの傾角調整が無意味なものになる。
【０００７】
本発明は、上記従来の欠点に鑑み、対物レンズの傾角調整を安価な構造で精密に行うこ
とができるようにした光ピックアップを提供することを目的としている。
【課題を解決するための手段】
【０００８】
上記目的を達成するため、請求項１に記載の発明は、対物レンズ付きレンズホルダを支
持するアクトベースがオプチベース上に配置され、２本の傾角調整ボルトがオプチベース
の貫通孔を通ってアクトベースに所定間隔をおいて形成したねじ孔にそれぞれ螺合され、
その両傾角調整ボルトから所定間隔離れた位置でアクトベースの挿通孔を通ってオプチベ
ースのねじ孔に支持ボルトが螺着され、該支持ボルトに遊嵌されてアクトベースをオプチ
ベースに向けて付勢する調整ばねが設けられており、その調整ばねに抗して各傾角調整ボ
ルトのねじ込み量を調整してアクトベースの位置を微調整することにより、対物レンズの
光軸を半導体レーザから発したレーザ光の光軸と一致させ、アクトベースをオプチベース
に接着剤で固定するようにした光ピックアップにおいて、前記支持ボルトを省略し、一対
の有底筒状カプセル半体からなるカプセルを有し、前記調整ばねの両端部を前記各カプセ
ル半体の開口端から該各カプセル半体内に挿入することにより、調整ばね入りカプセルが
形成され、前記一方のカプセル半体に伸縮方向に沿って長孔が形成されると共に、該長孔
に対向して前記他方のカプセル半体にフックが一体形成され、該フックを長孔に嵌入させ
ることにより、両カプセル半体が一体的に連結されると共に、該カプセルの高さが調整ば
ねに抗して一定範囲内伸縮可能とされ、その調整ばね入りカプセルの一端に対向する押さ
え部が脚部を介して前記オプチベースに一体形成されると共に、該カプセルの他端に対向
する受座部がアクトベースに一体形成され、前記カプセルの伸長時の高さが前記押さえ部
と受座部との間の対向間隔よりも大きくてその縮小時の高さが前記対向間隔よりも小さく
なるように設定され、前記押さえ部と受座部との対向面にカプセル係止用凹部が形成され
ており、カプセルを調整ばねに抗して押さえ部と受座部との間に挿入して、該カプセルの
両端面を前記各カプセル係止用凹部に嵌入させ、そのカプセルを調整ばねに抗して引っ張
ることにより押さえ部と受座部との間から離脱させるようにしたことを特徴としている。
【０００９】
請求項２に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースをオプチベースに向けて付勢する調整ばねが設けられ
ており、その調整ばねに抗して各傾角調整ボルトのねじ込み量を調整してアクトベースの
位置を微調整することにより、対物レンズの光軸を半導体レーザから発したレーザ光の光
軸と一致させ、アクトベースをオプチベースに接着剤で固定するようにした光ピックアッ
プにおいて、一対の有底筒状カプセル半体からなるカプセルを有し、前記調整ばねの両端
部を前記各カプセル半体の開口端から該各カプセル半体内に挿入することにより、調整ば
ね入りカプセルが形成され、該カプセルの高さが調整ばねに抗して伸縮可能とされ、その
調整ばね入りカプセルの一端に対向する押さえ部が脚部を介して前記オプチベースに一体
形成されると共に、該カプセルの他端に対向する受座部がアクトベースに一体形成され、
前記カプセルの伸長時の高さが前記押さえ部と受座部との間の対向間隔よりも大きくてそ
の縮小時の高さが前記対向間隔よりも小さくなるように設定されており、カプセルを調整
ばねに抗して押さえ部と受座部との間に挿入し、そのカプセルを調整ばねに抗して引っ張
ることにより押さえ部と受座部との間から離脱させるようにしたことを特徴としている。
【００１０】
請求項３に記載の発明は、請求項２に記載の発明において、前記押さえ部と受座部との
対向面にカプセル係止用凹部が形成されており、その押さえ部と受座部との間に挿入たカ
プセルの両端面を前記各カプセル係止用凹部に嵌入させるようにしたことを特徴としてい
る。
【００１１】
請求項４に記載の発明は、請求項２または３に記載の発明において、前記一方のカプセ
ル半体に伸縮方向に沿って長孔が形成されると共に、該長孔に対向して前記他方のカプセ
ル半体にフックが一体形成され、該フックを長孔に嵌入させることにより、両カプセル半
体が一体的に連結されると共に、該カプセルの高さが調整ばねに抗して一定範囲内伸縮可
能とされていることを特徴としている。
【発明の効果】
【００１２】
請求項１に記載の発明は第２の実施の形態（図６及び図７参照）に対応するものであっ
て、これによれば、調整ばね入りカプセルをオプチベースの押さえ部とアクトベースの受
座部との間に挿入し、対物レンズの傾角調整を行ってアクトベースをオプチベースに接着
剤で固定した後、前記カプセルを押さえ部と受座部との間から離脱させるようになってお
り、そのカプセルを傾角調整の治具として使用するだけで光ピックアップの構成部品とせ
ず、しかも、従来の調整ばね用支持ボルトに相当するものも不要であるから、その調整ば
ね及び支持ボルトを省略した分だけ部品点数が少なくなり、構造が簡単で製作費を安くす
ることができる。
【００１３】
また、調整ばね入りカプセルを押さえ部と受座部との間に挿入するだけで、該カプセル
の両端面が押さえ部及び受座部のカプセル係止用凹部に嵌入されるので、そのカプセルを
押さえ部と受座部との間の所望位置に確実に位置決めすることができる。
【００１４】
更に、接着剤によるアクトベースの固定終了後、カプセルを調整ばねに抗して引っ張る
だけで、該カプセルを押さえ部と受座部との間から簡単に離脱させることができ、微調整
を終えたアクトベースの位置が狂うおそれがない。
【００１５】
しかも、一方のカプセル半体の長孔に他方のカプセル半体のフックを係合させることに
より、その両カプセル半体が一体的に連結されて、調整ばねに抗して高さを一定範囲内伸
縮可能とするカプセルが形成されているので、該カプセルが調整ばねのばね力で分解され
ることがなく、使い勝手がよい。
【００１６】
請求項２に記載の発明は基本形態に対応するものであって、これによれば、調整ばね入
りカプセルをオプチベースの押さえ部とアクトベースの受座部との間に挿入し、対物レン
ズの傾角調整を行ってアクトベースをオプチベースに接着剤で固定した後、前記カプセル
を押さえ部と受座部との間から離脱させるようになっており、そのカプセルを傾角調整の
治具として使用するだけで光ピックアップの構成部品とせず、しかも、従来の調整ばね用
支持ボルトに相当するものも不要であるから、その調整ばね及び支持ボルトを省略した分
だけ部品点数が少なくなり、構造が簡単で製作費を安くすることができる。
【００１７】
請求項３に記載の発明によれば、調整ばね入りカプセルを押さえ部と受座部との間に挿
入するだけで、該カプセルの両端面が押さえ部及び受座部のカプセル係止用凹部に嵌入さ
れるので、そのカプセルを押さえ部と受座部との間の所望位置に確実に位置決めすること
ができる。
【００１８】
また、接着剤によるアクトベースの固定終了後、カプセルを調整ばねに抗して引っ張る
だけで、該カプセルを押さえ部と受座部との間から簡単に離脱させることができ、微調整
を終えたアクトベースの位置が狂うおそれがない。
【００１９】
請求項４に記載の発明によれば、一方のカプセル半体の長孔に他方のカプセル半体のフ
ックを係合させることにより、その両カプセル半体が一体的に連結されて、調整ばねに抗
して高さを一定範囲内伸縮可能とするカプセルが形成されているので、該カプセルが調整
ばねのばね力で分解されることがなく、使い勝手がよい。
【発明を実施するための最良の形態】
【００２０】
図１〜図５は本発明の第１の実施の形態である光ピックアップを示すものであって、ア
クトベース２の受座部２Ａに隣接して合成樹脂製オプチベース１に略Ｌ字状枠体２０が一
体突設され、該枠体２０が、受座部２Ａに対向する押さえ部２０Ａと、該押さえ部２０Ａ
をオプチベース１に一体連結する脚部２０Ｂとからなり、前記押さえ部２０Ａと受座部２
Ａとの間に挿入されるカプセル２１を有している。上記以外の構成は図８〜図１０に示す
構成とほぼ同じであるから、同一部分に同一符号を付してその説明を省略する。
【００２１】
前記カプセル２１は、図４に示すように、合成樹脂（または金属）製カプセル半体２１
Ａ，２１Ｂからなり、該各カプセル半体２１Ａ，２１Ｂは、一端に開口端２１ａを備え他
端に半球状端面２１ｂを備えることにより、有底円筒状に形成され、その外径ｄ１，ｄ２
が同一に設定されており、調整ばね１７の両端部を各カプセル半体２１Ａ，２１Ｂの開口
端２１ａから該各カプセル半体２１Ａ，２１Ｂ内に挿入することにより、調整ばね１７入
りカプセル２１が形成され、図５（ａ）に示すように、カプセル２１の高さｍが調整ばね
１７に抗して矢印ｊ，ｋ方向に伸縮可能とされている。
【００２２】
図４に示すように、押さえ部２０Ａと受座部２Ａとの対向面に、カプセル半体２１Ａ，
２１Ｂの外径ｄ１，ｄ２よりも小径ｄ３の半球凹状のカプセル係止用凹部２２が形成され
、図５（ａ）に示すように、調整ばね１７入りカプセル２１の伸長時の高さｍが前記押さ
え部２０Ａと受座部２Ａとの間の対向間隔ｔよりも大きくてその縮小時の高さｍが前記対
向間隔ｔよりも小さくなるように設定されている。
【００２３】
傾角調整の手順を説明すると、図５（ａ）に示すように、調整ばね１７入りカプセル２
１を把持して押さえ部２０Ａと受座部２Ａとの間に調整ばね１７に抗して押し込み、各カ
プセル半体２１Ａ，２１Ｂの半球状端面２１ｂを各カプセル係止用凹部２２に嵌入させる
〔図５（ａ）仮想線参照〕。続いて、調整ばね１７に抗して各傾角調整ボルト１３のねじ
込み量を調整してアクトベース２の位置を微調整することにより、対物レンズＯＬの光軸
Ｏ１をラジアル方向ｅ，ｆ及びタンゼンシャル方向ｇ，ｈに傾動させて、その対物レンズ
ＯＬの光軸Ｏ１を半導体レーザ（図示せず）から発したレーザ光の光軸Ｏ２と一致させ、
該アクトベース２と天板部１Ａとの間の複数箇所に紫外線硬化性接着剤ＵＶを充填し、該
接着剤ＵＶに紫外線を照射して硬化させることにより、そのアクトベース２をオプチベー
ス１に固定する。
【００２４】
その後、図５（ｂ）に示すように、調整ばね１７入りカプセル２１を引っ張ることによ
り、該カプセル２１を押さえ部２０Ａと受座部２Ａとの間から離脱させる。
【００２５】
上記構成によれば、調整ばね１７入りカプセル２１をオプチベース１の押さえ部２０Ａ
とアクトベース２の受座部２Ａとの間に挿入し、対物レンズＯＬの傾角調整を行ってアク
トベース２をオプチベース１に接着剤ＵＶで固定した後、前記カプセル２１を押さえ部２
０Ａと受座部２Ａとの間から離脱させるようになっており、そのカプセル２１を傾角調整
の治具として使用するだけで光ピックアップの構成部品とせず、しかも、従来の調整ばね
１７用支持ボルト１６に相当するものも不要であるから、その調整ばね１７及び支持ボル
ト１６を省略した分だけ部品点数が少なくなり、構造が簡単で製作費を安くすることがで
きる。
【００２６】
また、調整ばね１７入りカプセル２１を押さえ部２０Ａと受座部２Ａとの間に挿入する
だけで、該カプセル２１の半球状端面２１ｂが押さえ部２０Ａと受座部２Ａのカプセル係
止用凹部２２に嵌入されるので、そのカプセル２１を押さえ部２０Ａと受座部２Ａとの間
の所望位置に確実に位置決めすることができる。
【００２７】
更に、接着剤ＵＶによるアクトベース２の固定終了後、カプセル２１を調整ばね１７に
抗して引っ張るだけで、該カプセル２１を押さえ部２０Ａと受座部２Ａとの間から簡単に
離脱させることができ、微調整を終えたアクトベース２の位置が狂うおそれがない。
【００２８】
図６及び図７は本発明の第２の実施の形態である光ピックアップの要部を示すものであ
って、両カプセル半体２１Ａ，２１Ｂの外径ｄ１，ｄ２を互いに異なるように設定するこ
とにより、該両カプセル半体２１Ａ，２１Ｂの開口端２１ａどうしが互いに移動可能に嵌
合され、その一方のカプセル半体２１Ｂに所定間隔（この実施の形態では１８０°）をお
いて複数の長孔２４が伸縮方向ｊ，ｋに沿って形成されると共に、該各長孔２４に対向し
て他方のカプセル半体２１Ａの開口端２１ａから伸縮方向ｊ，ｋに沿って延びる各連結片
２５の先端にフック２６が一体形成されており、該各フック２６を各長孔２４に嵌入させ
ることにより、両カプセル半体２１Ａ，２１Ｂが一体的に連結されると共に、該カプセル
２１の高さｍが調整ばね１７に抗して一定範囲内伸縮可能とされている。上記以外の構成
は図１〜図５に示す第１の実施の形態とほぼ同じであるから、同一部分に同一符号を付し
てその説明を省略する。
【００２９】
傾角調整の手順を説明すると、図７に実線で示すように、把持した調整ばね１７入りカ
プセル２１を押さえ部２０Ａと受座部２Ａとの間に押し込むことにより、図７に仮想線で
示すように、カプセル２１の両半球状端面２１ｂを各カプセル係止用凹部２２に係合させ
、続いて、第１の実施の形態と同じ手順で傾角調整を行った後、アクトベース２と天板部
１Ａとの間の複数箇所に紫外線硬化性接着剤ＵＶを充填し、該接着剤ＵＶに紫外線を照射
して硬化させることにより、そのアクトベース２をオプチベース１に固定する。
【００３０】
その後、図７に実線で示すように、カプセル２１を引っ張ることにより、該カプセル２
１を調整ばね１７に抗して押さえ部２０Ａと受座部２Ａとの間から離脱させる。
【００３１】
上記構成によれば、第１の実施の形態（図１〜図５参照）とほぼ同じ効果を得ることが
でき、特に、一方のカプセル半体２１Ｂの長孔２４に他方のカプセル半体２１Ａのフック
２６を係合させることにより、その両カプセル半体２１Ａ，２１Ｂが一体的に連結されて
、調整ばね１７に抗して高さｍを一定範囲内伸縮可能とするカプセル２１が形成されてい
るので、該カプセル２１が調整ばね１７のばね力で分解されることがなく、使い勝手がよ
い。
【図面の簡単な説明】
【００３２】
【図１】本発明の第１の実施の形態である光ピックアップを示す平面図である。
【図２】同一部切欠き側面図である。
【図３】図１のＡ−Ａ矢視図である。
【図４】同要部の分解斜視図である。
【図５】（ａ）は同カプセルの挿入手順を示す要部の縦断面図、（ｂ）は同カプセルの離脱手順を示す要部の横断面図である。
【図６】（ａ）は本発明の第２の実施の形態である光ピックアップの要部を示す分解斜視図、（ｂ）は同要部の斜視図である。
【図７】同カプセルの挿入及び離脱の手順を示す要部の縦断面図である。
【図８】従来例を示す平面図である。
【図９】同縦断面図である。
【図１０】図８のＢ−Ｂ矢視図である。
【符号の説明】
【００３３】
１              オプチベース
２              アクトベース
２Ａ            受座部
４              レンズホルダ
１１            ねじ孔
１２            貫通孔
１３            傾角調整ボルト
１６            支持ボルト
１７            調整ばね
２０Ａ          押さえ部
２１            カプセル
２１Ａ，２１Ｂ  カプセル半体
２１ａ          カプセル半体の開口端
２２            カプセル係止用凹部
２４            長孔
２６            フック
ＯＬ            対物レンズ
ＵＶ            紫外線硬化性接着剤
Ｏ１            対物レンズの光軸
Ｏ２            レーザ光の光軸
【図１】
2007179615.tif 000003
【図２】
2007179615.tif 000004
【図３】
2007179615.tif 000005
【図４】
2007179615.tif 000006
【図５】
2007179615.tif 000007
【図６】
2007179615.tif 000008
【図７】
2007179615.tif 000009
【図８】
2007179615.tif 000010
【図９】
2007179615.tif 000011
【図１０】
2007179615.tif 000012